(57)【要約】      （修正有）【課題】足で踏み込み昇降用シリンダに油を供給する椅子にあっては、１回毎の踏み込みにおいて昇降用シリンダへの油の供給が停止するために、油の停止毎に座部が停止することとなり、被施術者に不快感を与える。【解決手段】スプリング２２のバネ力によって上昇位置に移動し、操作レバーを踏み込むと下降するピストン２４がシリンダ２３内に収容され、ピストンには中空の制御管２８が取付けられると共に制御管と連通して連通孔２４ａが形成され、シリンダにはピストンが最下降位置に移動した時に連通孔と一致する油排出孔２３ａが形成されている足踏みポンプと、油の流出を阻止する逆止弁７と、足踏みポンプより逆止弁を介して流出する油を貯留する保圧シリンダ３と、足踏みポンプより逆止弁を介して流出する油によって座部を上昇させる昇降用シリンダ４とから構成した椅子昇降用油圧装置である。【選択図】図１
2006255415.tif 000002
【特許請求の範囲】
【請求項１】
スプリングのバネ力によって上昇位置に移動し、前記スプリングのバネ力に抗して操作レバーを踏み込むと下降するピストンがシリンダ内に収容され、前記ピストンには先端が下部に突出する中空の制御管が取付けられると共に該制御管と連通して連通孔が形成され、また、前記シリンダには前記ピストンが最下降位置に移動した時に前記連通孔と一致する油排出孔が形成されている足踏みポンプと、
該足踏みポンプの下端に一体的に取付けられ前記ピストンを下降させない状態においては油の流出を阻止するスプリングとボールとからなる逆止弁と、
前記足踏みポンプより前記逆止弁を介して流出する油を貯留する保圧シリンダと、
前記足踏みポンプより前記逆止弁を介して流出する油によって座部を上昇させる昇降用シリンダとから構成し、
前記操作レバーを踏み込んで前記逆止弁を介して前記保圧シリンダと前記昇降用シリンダに油を供給して昇降用シリンダによって座部を上昇させ、操作レバーによる昇降用シリンダへの油の供給を停止した状態においては保圧シリンダよりの油が昇降用シリンダに供給されることで昇降用シリンダは休止することなく座部を連続して上昇させ、また、操作レバーを最下降位置まで踏み込むと前記制御管が逆止弁のボールを押し下げて昇降用シリンダと保圧シリンダよりの油を通過させ前記油排出孔を介してタンク内に戻すことを特徴とする椅子昇降用油圧装置。
【請求項２】
前記保圧シリンダと昇降用シリンダとは、該昇降用シリンダが前記逆止弁に対して下流側となるように油路により接続され、かつ、保圧シリンダよりも下流側の油路にオリフィスを形成し、昇降用シリンダへの油量を保圧シリンダへの油量よりも少なくしたことを特徴とする請求項１記載の椅子昇降用油圧装置。
【発明の詳細な説明】
【技術分野】
【０００１】
本発明は、理美容用椅子や歯科用椅子、特に、理容用椅子において、施術を行う際に座部の上昇を足踏み用の操作レバーを施術者が踏み込むことで行う椅子であって、前記操作レバーを踏み込むことで椅子の上昇、下降を制御する椅子昇降用油圧装置の改良に関する。
【背景技術】
【０００２】
従来における椅子、例えば、理美容用椅子には電動式のポンプを利用して油圧シリンダに油を供給するものと、前記した操作レバーを足で踏み込み油圧シリンダに油を供給するものとがある。そして、電動式のポンプを利用した椅子の昇降装置として、例えば、実開平４−５２６３４号公報に記載の考案がある。このような電動式ポンプによって椅子を上昇させるものにあっては、ポンプによって連続して油が油圧シリンダに供給されることから連続的に座部が所望の位置まで上昇することとなるので、上昇途中で着座していきる被施術者にショックを与えることはない。
【０００３】
一方、操作レバーを足で踏んで油圧シリンダに油タンクから油を供給する簡易な椅子（美容用に多く採用されている）、例えば、本出願人会社のホームページにおけるＵＲＬ（ http://www.takarabelmont.co.jp/ribiyou/index.html）で紹介している椅子の場合には、１回踏むことで油圧シリンダに１回分の油が供給されるものであることから、着座している被施術者の身長が低い場合には複数回操作レバーを踏むものである。
【特許文献１】実開平４−５２６３４号公報
【非特許文献１】http://www.takarabelmont.co.jp/ribiyou/index.html
【発明の開示】
【発明が解決しようとする課題】
【０００４】
ところで、前記した操作レバーを足で踏み込み油圧シリンダに油を供給するものにあっては、１回毎の操作レバーの踏み込みにおいて油圧シリンダへの油の供給が停止するために、油圧シリンダへの油の停止毎に座部が停止することとなり、被施術者に対してショックを与え不快感を与えるという問題があった。
【０００５】
本発明は前記した問題点を解決せんとするもので、その目的とするところは、操作レバーの踏み込みと踏み込みとの間に保圧シリンダに貯留されている油を昇降用シリンダに供給することで、昇降用シリンダが停止することなく連続して上昇するので被施術者に対してショックを与え不快感を与えることがなく、また、操作レバーを最下部まで踏み込むことで足踏みポンプの制御管が逆止弁を開放し、保圧シリンダおよび昇降用シリンダよりの油を制御管、連通孔および油排出孔を介してタンク内に戻すことができるので、構造が簡単となりコストの低下を図ることができる椅子昇降用油圧装置を提供せんとするにある。
【課題を解決するための手段】
【０００６】
本発明の椅子昇降用油圧装置は前記した目的を達成せんとするもので、請求項１の手段は、スプリングのバネ力によって上昇位置に移動し、前記スプリングのバネ力に抗して操作レバーを踏み込むと下降するピストンがシリンダ内に収容され、前記ピストンには先端が下部に突出する中空の制御管が取付けられると共に該制御管と連通して連通孔が形成され、また、前記シリンダには前記ピストンが最下降位置に移動した時に前記連通孔と一致する油排出孔が形成されている足踏みポンプと、該足踏みポンプの下端に一体的に取付けられ前記ピストンを下降させない状態においては油の流出を阻止するスプリングとボールとからなる逆止弁と、前記足踏みポンプより前記逆止弁を介して流出する油を貯留する保圧シリンダと、前記足踏みポンプより前記逆止弁を介して流出する油によって座部を上昇させる昇降用シリンダとから構成し、前記操作レバーを踏み込んで前記逆止弁を介して前記保圧シリンダと前記昇降用シリンダに油を供給して昇降用シリンダによって座部を上昇させ、操作レバーによる昇降用シリンダへの油の供給を停止した状態においては保圧シリンダよりの油が昇降用シリンダに供給されることで昇降用シリンダは休止することなく座部を連続して上昇させ、また、操作レバーを最下降位置まで踏み込むと前記制御管が逆止弁のボールを押し下げて昇降用シリンダと保圧シリンダよりの油を通過させ前記油排出孔を介してタンク内に戻すことを特徴とする。
【０００７】
請求項２の手段は、前記した請求項１において、前記保圧シリンダと昇降用シリンダとは、該昇降用シリンダが前記逆止弁に対して下流側となるように油路により接続され、かつ、保圧シリンダよりも下流側の油路にオリフィスを形成し、昇降用シリンダへの油量を保圧シリンダへの油量よりも少なくしたことを特徴とする。
【発明の効果】
【０００８】
本発明は前記したように、操作レバーの踏み込みと踏み込みとの間に保圧シリンダに貯留されている油を昇降用シリンダに供給することで、昇降用シリンダが停止することなく連続して上昇して被施術者に対してショックを与え不快感を与えることがなく、また、操作レバーを最下降位置まで踏み込むと前記制御管が逆止弁のボールを押し下げて昇降用シリンダと保圧シリンダよりの油を通過させ前記油排出孔を介してタンク内に戻すことができるので、構造が簡単となりコストの低下を図ることができ、かつ、小型化を図ることができる。
【０００９】
また、保圧シリンダと昇降用シリンダとは、該昇降用シリンダが前記逆止弁に対して下流側となるように油路により接続され、かつ、保圧シリンダよりも下流側の油路にオリフィスを形成し、昇降用シリンダへの油量を保圧シリンダへの湯量よりも少なくしたので、保圧シリンダ内には昇降用シリンダへの油の供給が停止した時に昇降用シリンダに対して十分な油を供給することができるので、昇降用シリンダのピストンは上昇し、従って、椅子の上昇を休止させることなく連続して上昇させることができる等の効果を有するものである。
【発明を実施するための最良の形態】
【００１０】
本発明は、操作レバーの踏み込みの休止中に保圧シリンダに貯留されている油を昇降用シリンダに供給し、また、昇降用シリンダおよび保圧シリンダ内の油の排出は、足踏みポンプに形成されている制御管を介してタンク内に戻されるものである。
【実施例１】
【００１１】
次に、本発明に係る椅子昇降用油圧装置の一実施例を図１、図２と共に説明する。
１は後述する足踏みポンプ２、保圧シリンダ３および椅子を昇降するための昇降用シリンダ４の下部が取付けられるブロック、５は該ブロック１に密閉状態で覆うカバーにして、該カバー５内には油が充填されている。また、前記ブロック１には後に詳述する油路が形成されている。６は施術者が椅子を上昇させるために操作レバーを足によって踏み込むと下降する押圧杆である。
【００１２】
２は前記押圧杆６の下部がピストンロッド２１の上端に当接している足踏みポンプにして、該押圧杆６をピストンロッド２１の外周に配置されているスプリング２２のバネ力に抗して押下することでシリンダ２３内のピストン２４が下降する。
【００１３】
そして、施術者が操作レバーから足を離しスプリング２２のバネ力によってピストン２４が上昇するとシリンダ２３内が負圧状態となることで、油路１３に連通する吸入口１３ａを塞いでいる弁２６が上昇して吸入口１３ａを開放する。従って、先端が前記ケース５の油内に位置する給油パイプ１２から給路１３および吸入口１３ａを介して油がシリンダ２３内に吸引される。また、前記ピストン２４が上昇することで前記押圧杆６も押し上げられる。なお、前記給油パイプ１２の油中に位置する先端にはフィルター１２ａが取付けられている。
【００１４】
保圧シリンダ３はシリンダ内にスプリング３１とピストン３２が収容されていおり、該ピストン３２の下部貯留部３３は後述する逆止弁７と油路１４，１５を介して接続されている。
【００１５】
昇降用シリンダ４は一般的な油圧シリンダにして、シリンダ４１内を上下動するピストン４２の上端には理美容椅子等の座部が取付けられてている。また、シリンダ４１の下部は前記油路１４，１５との分岐部分に油量を絞るためのオリフィス１４ａを有する油路１４を介して接続されている。なお、４３はピストン４２が最下降位置になった時にピストン４２の下端と当接したときのショックを緩和するためのクッション材である。
【００１６】
逆止弁７は前記足踏みポンプ２の油出入口である開口部７２を塞ぐボール７１と、該ボール７１を開口部７２側に押圧するスプリング７３とより構成され、該スプリング７３が収容されている空間が前記油路１５と接続されている。また、前記足踏みポンプ２のピストン２４には前記ボール７１をスプリング７３のバネ力に抗して下降させる中空の制御管２８の先端がピストン２４の下面から突出した状態で内蔵されている。さらに、ピストン２４には前記制御菅２８の孔と連通して円周方向に先端が開口された連通孔２４ａが開口され、また、シリンダ２３にはピストン２４最下降位置に達した時に前記連通孔２４ａと油タンクであるカバー５内において一致する油排出口２３ａが形成されている。
【００１７】
次に、前記した構成に基づいて本発明の椅子昇降用油圧装置の動作を説明する。
先ず、昇降用シリンダ４におけるピストン４２が下降位置で椅子が初期状態にある時は、保圧シリンダ３におけるピストン３２もスプリング３１のバネ力によってシリンダの最下部まで下降し、また、足踏みポンプ２のピストン２４は最上部までスプリング２２のバネ力によって上方位置に戻っており、ピストン２４の下部にはピストン２４の上昇時に吸引された油がシリンダ２３内に貯留されている。
【００１８】
この状態において、施術者が操作レバーを踏み込み押圧杆６を足踏みポンプ２のスプリング２２のバネ力に抗して下降させると、シリンダ２３内の油によって逆止弁７のボール２５がスプリング７３のバネ力に抗して下降する。従って、シリンダ２３内の油は逆止弁７を介して油路１５，１６から保圧シリンダ３の貯留部３３内に供給されるので、ピストン３２はスプリング３１のバネ力に抗して上昇し、足踏みポンプ２よりの油は貯留部３３内に貯留される。
【００１９】
また、油路１５から供給される油の一部は油路１４に流れオリフィス１４ａによって油量が減少されて昇降用シリンダ４内にも流れ込みピストン４２を上昇させる。ここで、昇降用シリンダ４内に流れ込む油の量は、オリフィス１４ａによって絞られるため保圧シリンダ３の貯留部３１に貯留される油の量が多くなり昇降用シリンダ４に流れる量が少ないので、昇降シリンダ４のピストン４２の上昇速度は遅いが保圧シリンダ３への油の貯留が多くなる。
【００２０】
そして、操作レバーの踏み込みを最下部まで達しない状態で停止すると、足踏みポンプ２はスプリング２２のバネ力で上昇するので、シリンダ２３内は負圧状態となる。この状態において、弁２６が上昇するので、カバー５内に貯留している油が吸引パイプ１２および油路１３を介してシリンダ２３内に流れ込む。
【００２１】
一方、保圧シリンダ３のピストン３２はスプリング３１のバネ力によって押下されるので、保圧シリンダ３内の油は逆止弁７のボール７１がスプリング７３と保圧シリンダ３内の油圧によって開口部７２を塞いでいる（図１参照）。これにより、オリフィス１４ａを通って油路１４を介して昇降用シリンダ４１内に流れる。従って、ピストン４２は停止することなく上昇し、椅子を連続して上昇させるので着座している被施術者にショックを与えることなく不快感を与えることがない。
【００２２】
以下、同様に操作レバーを踏み込むと足踏みポンプ２より油が昇降用シリンダ４に供給され、次いで、足を操作レバーから離すと保圧シリンダ６から供給されるので、座部を所望の高さ位置に達するまで繰り返し行われる。
【００２３】
そして、椅子を下降させるには、操作レバーを踏み込んで足踏みポンプ２のピストン２４を最下降位置まで下降させると、制御菅２８の下端がボール７１をスプリング７３のバネ力に抗して押し下げるので、開口部７２が開口されて保圧シリンダ３および昇降用シリンダ４内の油は油路１４，１６，１５から逆止弁７を介して制御菅２８内に流れ込む。
【００２４】
この時、連通孔２４ａと排出孔２３ａとが連通しているので、逆止弁７よりの油は制御菅２８、連通孔２４ａおよび排出孔２３ａを介してケース５内に流れるので、保圧シリンダ３および昇降用シリンダ４内の油はケース５内に戻され、従って、昇降用シリンダ４のピストン４２はクッション材４３に当接して停止し、椅子も最下降位置で停止することになる（図２参照）。
【図面の簡単な説明】
【００２５】
【図１】本発明に係る椅子昇降用油圧装置の一実施例を示す足踏みポンプを途中まで踏み込んだ状態を示す断面図である。
【図２】同上のポンプを最下降位置まで踏み込んで油の排油状態を示す断面図である。
【符号の説明】
【００２６】
１          ブロック
２          足踏みポンプ
２２        スプリング
２３        シリンダ
２３ａ      油排出孔
２４        ピストン
２４ａ      連通孔
２８        制御管
３          保圧シリンダ
４          昇降用シリンダ
７          逆止弁
７１        ボール
７３        スプリング
【図１】
2006255415.tif 000003
【図２】
2006255415.tif 000004